(57)【特許請求の範囲】
【請求項１】
上部に透かし窓を形成し、中央部の両端部各々に、連結具用で回転防止部を形成した第一連結穴を穿設した一対のエンドプレートを縦型にして対面配置し、前記一対のエンドプレートの対面間における中央部間に平面部材を連結配置すると共に下部間に補強部材を連結配置してなる複数台の第一基台を備え、
前記第一基台への登り降りを可能に連結する遊具として次の（１）〜（６）を備え、
（１）、登り階段の両側に手摺付保持枠を設け、同手摺付保持枠の上端部に回転防止部を形成した連結具用の第二連結穴を設けた階段登り台、
（２）、太鼓状の登りプレートの両側に手摺付保持枠を設け、前記登りプレートに登り補助ロープを設け、同手摺付保持枠の上端部に前記連結具用で回転防止部を形成した連結具用の第二連結穴を設けた太鼓状登り台、
（３）、スローププレートにクライミング突起を適宜に配置し、スローププレートの上部両側に手摺付保持枠を設け、手摺付保持枠に透かし窓を設けると共に回転防止部を形成した連結具用の第二連結穴を設けたクライムスロープ、
（４）、滑りプレートの両側に手摺付保持枠を設け、同手摺付保持枠の上端部に前記連結具用で回転防止部を形成した連結具用の第二連結穴を設けた滑り台、
（５）、滑りプレートの両側に手摺付保持枠を設け、同手摺付保持枠の上端部に前記連結具用で回転防止部を形成した連結具用の第二連結穴を設け、前記滑りプレートはクネクネ滑り面部材を配置したクネクネスロープ、
（６）、複数の滑りプレートを棚田式に階段状に配置し、その配置両側に各滑りプレートの側部を支持するプレート支持枠を設け、プレート支持枠の上部の両側に手摺付保持枠をプレート支持枠と一体的に設け、手摺付保持枠に透かし窓を設けると共に前記連結具用で回転防止部を形成した連結具用の第二連結穴を設けた段々スロープ、
前記第一基台同士を連結可能にした遊具として次の（７）〜（１３）を備え、
（７）、渡り部材の両側に透かし窓を形成した手摺付保持枠を設け，同手摺付保持枠に渡る幼児の両側方と上方を囲う透明なアーケードを取り付け，同手摺付保持枠の前後の両端部に連結具用の回転防止部を形成した第二連結穴を設けたアーケード渡り橋、
（８）、ネット部材の両側に凸状に湾曲した保持枠を設け、同保持枠に横材に縦材を組み合わせたアーチ状の欄干を取り付け、且つ保持枠の前後の両端部に支持部材を設け同支持部材に回転防止部を形成した連結具用の第二連結穴を設けたアーチ欄干ネット橋、
（９）、湾曲渡り廊下橋の両側に透かし窓を形成した保持側壁を設け、同保持側壁の前後の両端部に回転防止部を形成した連結具用の第二連結穴を設けた回廊橋、
（１０）、太鼓状の渡りプレートの両側に透かし窓を形成した保持アーチ壁を設け、同保持アーチ壁の前後の両端部に回転防止部を形成した連結具用の第二連結穴を設けた太鼓橋、
（１１）、ウエーブ渡り板１３１の両側に、透かし窓と透明板を貼った透かし窓付で落下防止用の保持アーチ壁を設け、保持アーチ壁の出入り口に支持アーチを設け、保持アーチ壁の下端部に回転防止部を形成した連結具用の第二連結穴を設けたウエーブ橋、
（１２）、湾曲渡り板の下部、両側部、上方部の各周囲を囲う複数の楕円リングとネット、及びこれらを横梁棒を介して支持し出入り口に配置したアーチ部材と、アーチ部材の下部に支持部材を設け、支持部材に回転防止部を形成した連結具用の第二連結穴を設けたリングトンネル、
（１３）、傾斜通路パネルの両側に透明板からなる通路壁を設け、通路壁の出入り口に支持アーチを設け、保持アーチ壁の下端部に回転防止部を形成した連結具用の第二連結穴を設けた傾斜通路橋、
前記連結具は、後部に前記第一連結穴又は前記第二連結穴の入口周面に当接する鍔を形成し、その顎に前記第一連結穴と第二連結穴の回転防止部に嵌入する被回転防止部を形成した嵌入連結部を形成し、前記第一連結穴又は前記第二連結穴から突出する部分に雄螺合部を形成したボルトと、前記第一連結穴又は当該第二連結穴の出口周面に緩み防止パッキンを介して当接する鍔を形成し前記ボルトの雄螺合部に螺合する雌螺合部を形成したナットとを設けてなることを特徴とする幼児用組立遊具。
【請求項２】
幼児用組立遊具の組み立て中継連結用の基台として、上部に透かし窓を形成し、中央部の両端部各々に、回転防止部を形成した連結用の第一連結穴を穿設した一対のエンドプレートを縦型にして対面配置し、前記一対のエンドプレートの対面間における中央部間に平面部材を連結配置すると共に下部間に補強部材を連結配置してなる第一基台を備え、
一方のエンドプレートの上部に透かし窓を形成し、他方のエンドプレートの上部に切欠き通路口を形成すると共に側面に連結用突起部を設けこの連結用突起部に回転防止部を形成した連結用の第一連結穴を穿設した一対のエンドプレートを縦型にして対面配置し、前記一対のエンドプレートにおける中央部の両端部各々に、回転防止部を形成した連結用の第一連結穴を穿設し対面間における中央部間に平面部材を連結配置すると共に下部間に補強部材を連結配置してなる第二基台を備え、
前記第一基台及び第二基台への登り降りを可能に連結する遊具として次の（１）〜（６）を備え、
（１）、登り階段の両側に手摺付保持枠を設け、同手摺付保持枠の上端部に回転防止部を形成した連結具用の第二連結穴を設けた階段登り台、
（２）、太鼓状の登りプレートの両側に手摺付保持枠を設け、前記登りプレートに登り補助ロープを設け、同手摺付保持枠の上端部に前記連結具用で回転防止部を形成した連結具用の第二連結穴を設けた太鼓状登り台、
（３）、スローププレートにクライミング突起を適宜に配置し、スローププレートの上部両側に手摺付保持枠を設け、手摺付保持枠に透かし窓を設けると共に回転防止部を形成した連結具用の第二連結穴を設けたクライムスロープ、
（４）、滑りプレートの両側に手摺付保持枠を設け、同手摺付保持枠の上端部に前記連結具用で回転防止部を形成した連結具用の第二連結穴を設けた滑り台、
（５）、滑りプレートの両側に手摺付保持枠を設け、同手摺付保持枠の上端部に前記連結具用で回転防止部を形成した連結具用の第二連結穴を設け、前記滑りプレートはクネクネ滑り面部材を配置したクネクネスロープ、
（６）、複数の滑りプレートを棚田式に階段状に配置し、その配置両側に各滑りプレートの側部を支持するプレート支持枠を設け、プレート支持枠の上部の両側に手摺付保持枠をプレート支持枠と一体的に設け、手摺付保持枠に透かし窓を設けると共に前記連結具用で回転防止部を形成した連結具用の第二連結穴を設けた段々スロープ、
前記第一基台同士又は前記第二基台同士或いは前記第一基台と前記第二基台とを連結可能にした遊具として次の（７）〜（１３）を備え、
（７）、渡り部材の両側に透かし窓を形成した手摺付保持枠を設け，同手摺付保持枠に渡る幼児の両側方と上方を囲う透明なアーケードを取り付け，同手摺付保持枠の前後の両端部に連結具用の回転防止部を形成した第二連結穴を設けたアーケード渡り橋、
（８）、ネット部材の両側に凸状に湾曲した保持枠を設け、同保持枠に横材に縦材を組み合わせたアーチ状の欄干を取り付け、且つ保持枠の前後の両端部に支持部材を設け同支持部材に回転防止部を形成した連結具用の第二連結穴を設けたアーチ欄干ネット橋、
（９）、湾曲渡り廊下橋の両側に透かし窓を形成した保持側壁を設け、同保持側壁の前後の両端部に回転防止部を形成した連結具用の第二連結穴を設けた回廊橋、
（１０）、太鼓状の渡りプレートの両側に透かし窓を形成した保持アーチ壁を設け、同保持アーチ壁の前後の両端部に回転防止部を形成した連結具用の第二連結穴を設けた太鼓橋、
（１１）、ウエーブ渡り板１３１の両側に、透かし窓と透明板を貼った透かし窓付で落下防止用の保持アーチ壁を設け、保持アーチ壁の出入り口に支持アーチを設け、保持アーチ壁の下端部に回転防止部を形成した連結具用の第二連結穴を設けたウエーブ橋、
（１２）、湾曲渡り板の下部、両側部、上方部の各周囲を囲う複数の楕円リングとネット、及びこれらを横梁棒を介して支持し出入り口に配置したアーチ部材と、アーチ部材の下部に支持部材を設け、支持部材に回転防止部を形成した連結具用の第二連結穴を設けたリングトンネル、
（１３）、傾斜通路パネルの両側に透明板からなる通路壁を設け、通路壁の出入り口に支持アーチを設け、保持アーチ壁の下端部に回転防止部を形成した連結具用の第二連結穴を設けた傾斜通路橋、
前記連結具は、後部に前記第一連結穴又は前記第二連結穴の入口周面に当接する鍔を形成し、その顎に前記第一連結穴と前記第二連結穴の回転防止部に嵌入する被回転防止部を形成した嵌入連結部を形成し、前記第一連結穴又は前記第二連結穴から突出する部分に雄螺合部を形成したボルトと、前記第一連結穴又は当該第二連結穴の出口周面に緩み防止パッキンを介して当接する鍔を形成し前記ボルトの雄螺合部に螺合する雌螺合部を形成したナットとを設けてなることを特徴とする幼児用組立遊具。
【発明の詳細な説明】
【技術分野】
【０００１】  本発明は、１〜３歳程度の年少幼児用の組立遊具に関するものである。
【背景技術】
【０００２】幼児用の組立遊具は、安全を最優先して各種の工夫を施して設計製作しなければならない。【０００３】その上で幼児用組立遊具は、この世に生を受けた幼児が、行動能力を限りなく誘引し、興味と好奇心と思考力およびチャレンジ精神の醸成を、自然体で感じさせる素敵なプレゼントであるべきである。【０００４】  過去に種々の幼児用遊具が発明されてきたが、いずれも上記のコンセプトを満足するものは無かった。
この要因としては、対象幼児の年齢幅を広くして長年活用可能にするためにどうしても４〜６歳の年長幼児を対象とする遊具となってしまい、それ未満の幼児には擁護者を付きっきりにしなければ利用できないものとなることである。
具体的には、特に落下防止具や、また決められた箇所以外からの出入り防止具などの安全防護付帯具が閉鎖的構造でありまた不完全であったりすること等である。
【発明の概要】
【発明が解決しようとする課題】
【０００５】  しかし、これらの安全防護付帯具を当該遊具に設置しようとすると、外見上遊具としての魅力に欠ける結果になりがちである。
本発明は、少ない組み立て部材によって、前記コンセプトを満足し、具体的には次の条件を満たす夢のある幼児用組立遊具を提供するものである。
１）、閉鎖的構造をなくした安全な構造であること。
２）、しかも遊び中の幼児の姿および、その子の機能などが十分に観察できること。
３）、幼児の自由な生活行動を可能にすると共に遊び行動も満足させることができるデザインと構造であること。
４）、幼児の生活・遊び行動に応じて幼児の目前で用途に応じて容易に組み立て変換して、発想の転換と興味と思考力およびチャレンジ精神の醸成を、自然体で感じさせるデザインと構造であること。
５）、４）を通じて幼児が自発的に組み立て可能な或いは希望の組み立て構成の遊具に変更できること。
【課題を解決するための手段】
【０００６】上記課題を満足させる本発明の幼児用組立遊具における特徴は次の（Ａ）〜（Ｂ）の通りである。【０００７】（Ａ）、上部に透かし窓を形成し、中央部の両端部各々に、連結具用で回転防止部を形成した第一連結穴を穿設した一対のエンドプレートを縦型にして対面配置し、前記一対のエンドプレートの対面間における中央部間に平面部材を連結配置すると共に下部間に補強部材を連結配置してなる複数台の第一基台を備え、
前記第一基台への登り降りを可能に連結する遊具として次の（１）〜（６）を備え、
（１）、登り階段の両側に手摺付保持枠を設け、同手摺付保持枠の上端部に回転防止部を形成した連結具用の第二連結穴を設けた階段登り台、
（２）、太鼓状の登りプレートの両側に手摺付保持枠を設け、前記登りプレートに登り補助ロープを設け、同手摺付保持枠の上端部に前記連結具用で回転防止部を形成した連結具用の第二連結穴を設けた太鼓状登り台、
（３）、スローププレートにクライミング突起を適宜に配置し、スローププレートの上部両側に手摺付保持枠を設け、手摺付保持枠に透かし窓を設けると共に回転防止部を形成した連結具用の第二連結穴を設けたクライムスロープ、
（４）、滑りプレートの両側に手摺付保持枠を設け、同手摺付保持枠の上端部に前記連結具用で回転防止部を形成した連結具用の第二連結穴を設けた滑り台、
（５）、滑りプレートの両側に手摺付保持枠を設け、同手摺付保持枠の上端部に前記連結具用で回転防止部を形成した連結具用の第二連結穴を設け、前記滑りプレートはクネクネ滑り面部材を配置したクネクネスロープ、
（６）、複数の滑りプレートを棚田式に階段状に配置し、その配置両側に各滑りプレートの側部を支持するプレート支持枠を設け、プレート支持枠の上部の両側に手摺付保持枠をプレート支持枠と一体的に設け、手摺付保持枠に透かし窓を設けると共に前記連結具用で回転防止部を形成した連結具用の第二連結穴を設けた段々スロープ、
前記第一基台同士を連結可能にした遊具として次の（７）〜（１３）を備え、
（７）、渡り部材の両側に透かし窓を形成した手摺付保持枠を設け，同手摺付保持枠に渡る幼児の両側方と上方を囲う透明なアーケードを取り付け，同手摺付保持枠の前後の両端部に連結具用の回転防止部を形成した第二連結穴を設けたアーケード渡り橋、
（８）、ネット部材の両側に凸状に湾曲した保持枠を設け、同保持枠に横材に縦材を組み合わせたアーチ状の欄干を取り付け、且つ保持枠の前後の両端部に支持部材を設け同支持部材に回転防止部を形成した連結具用の第二連結穴を設けたアーチ欄干ネット橋、
（９）、湾曲渡り廊下橋の両側に透かし窓を形成した保持側壁を設け、同保持側壁の前後の両端部に回転防止部を形成した連結具用の第二連結穴を設けた回廊橋、
（１０）、太鼓状の渡りプレートの両側に透かし窓を形成した保持アーチ壁を設け、同保持アーチ壁の前後の両端部に回転防止部を形成した連結具用の第二連結穴を設けた太鼓橋、
（１１）、ウエーブ渡り板１３１の両側に、透かし窓と透明板を貼った透かし窓付で落下防止用の保持アーチ壁を設け、保持アーチ壁の出入り口に支持アーチを設け、保持アーチ壁の下端部に回転防止部を形成した連結具用の第二連結穴を設けたウエーブ橋、
（１２）、湾曲渡り板の下部、両側部、上方部の各周囲を囲う複数の楕円リングとネット、及びこれらを横梁棒を介して支持し出入り口に配置したアーチ部材と、アーチ部材の下部に支持部材を設け、支持部材に回転防止部を形成した連結具用の第二連結穴を設けたリングトンネル、
（１３）、傾斜通路パネルの両側に透明板からなる通路壁を設け、通路壁の出入り口に支持アーチを設け、保持アーチ壁の下端部に回転防止部を形成した連結具用の第二連結穴を設けた傾斜通路橋、
前記連結具は、後部に前記第一連結穴又は前記第二連結穴の入口周面に当接する鍔を形成し、その顎に前記第一連結穴と第二連結穴の回転防止部に嵌入する被回転防止部を形成した嵌入連結部を形成し、前記第一連結穴又は前記第二連結穴から突出する部分に雄螺合部を形成したボルトと、前記第一連結穴又は当該第二連結穴の出口周面に緩み防止パッキンを介して当接する鍔を形成し前記ボルトの雄螺合部に螺合する雌螺合部を形成したナットとを設けてなることを特徴とする幼児用組立遊具。【０００８】（Ｂ）、幼児用組立遊具の組み立て中継連結用の基台として、上部に透かし窓を形成し、中央部の両端部各々に、回転防止部を形成した連結用の第一連結穴を穿設した一対のエンドプレートを縦型にして対面配置し、前記一対のエンドプレートの対面間における中央部間に平面部材を連結配置すると共に下部間に補強部材を連結配置してなる第一基台を備え、
一方のエンドプレートの上部に透かし窓を形成し、他方のエンドプレートの上部に切欠き通路口を形成すると共に側面に連結用突起部を設けこの連結用突起部に回転防止部を形成した連結用の第一連結穴を穿設した一対のエンドプレートを縦型にして対面配置し、前記一対のエンドプレートにおける中央部の両端部各々に、回転防止部を形成した連結用の第一連結穴を穿設し対面間における中央部間に平面部材を連結配置すると共に下部間に補強部材を連結配置してなる第二基台を備え、
前記第一基台及び第二基台への登り降りを可能に連結する遊具として次の（１）〜（６）を備え、
（１）、登り階段の両側に手摺付保持枠を設け、同手摺付保持枠の上端部に回転防止部を形成した連結具用の第二連結穴を設けた階段登り台、
（２）、太鼓状の登りプレートの両側に手摺付保持枠を設け、前記登りプレートに登り補助ロープを設け、同手摺付保持枠の上端部に前記連結具用で回転防止部を形成した連結具用の第二連結穴を設けた太鼓状登り台、
（３）、スローププレートにクライミング突起を適宜に配置し、スローププレートの上部両側に手摺付保持枠を設け、手摺付保持枠に透かし窓を設けると共に回転防止部を形成した連結具用の第二連結穴を設けたクライムスロープ、
（４）、滑りプレートの両側に手摺付保持枠を設け、同手摺付保持枠の上端部に前記連結具用で回転防止部を形成した連結具用の第二連結穴を設けた滑り台、
（５）、滑りプレートの両側に手摺付保持枠を設け、同手摺付保持枠の上端部に前記連結具用で回転防止部を形成した連結具用の第二連結穴を設け、前記滑りプレートはクネクネ滑り面部材を配置したクネクネスロープ、
（６）、複数の滑りプレートを棚田式に階段状に配置し、その配置両側に各滑りプレートの側部を支持するプレート支持枠を設け、プレート支持枠の上部の両側に手摺付保持枠をプレート支持枠と一体的に設け、手摺付保持枠に透かし窓を設けると共に前記連結具用で回転防止部を形成した連結具用の第二連結穴を設けた段々スロープ、
前記第一基台同士又は前記第二基台同士或いは前記第一基台と前記第二基台とを連結可能にする遊具として次の（７）〜（１３）を備え、
（７）、渡り部材の両側に透かし窓を形成した手摺付保持枠を設け，同手摺付保持枠に渡る幼児の両側方と上方を囲う透明なアーケードを取り付け，同手摺付保持枠の前後の両端部に連結具用の回転防止部を形成した第二連結穴を設けたアーケード渡り橋、
（８）、ネット部材の両側に凸状に湾曲した保持枠を設け、同保持枠に横材に縦材を組み合わせたアーチ状の欄干を取り付け、且つ保持枠の前後の両端部に支持部材を設け同支持部材に回転防止部を形成した連結具用の第二連結穴を設けたアーチ欄干ネット橋、
（９）、湾曲渡り廊下橋の両側に透かし窓を形成した保持側壁を設け、同保持側壁の前後の両端部に回転防止部を形成した連結具用の第二連結穴を設けた回廊橋、
（１０）、太鼓状の渡りプレートの両側に透かし窓を形成した保持アーチ壁を設け、同保持アーチ壁の前後の両端部に回転防止部を形成した連結具用の第二連結穴を設けた太鼓橋、
（１１）、ウエーブ渡り板１３１の両側に、透かし窓と透明板を貼った透かし窓付で落下防止用の保持アーチ壁を設け、保持アーチ壁の出入り口に支持アーチを設け、保持アーチ壁の下端部に回転防止部を形成した連結具用の第二連結穴を設けたウエーブ橋、
（１２）、湾曲渡り板の下部、両側部、上方部の各周囲を囲う複数の楕円リングとネット、及びこれらを横梁棒を介して支持し出入り口に配置したアーチ部材と、アーチ部材の下部に支持部材を設け、支持部材に回転防止部を形成した連結具用の第二連結穴を設けたリングトンネル、
（１３）、傾斜通路パネルの両側に透明板からなる通路壁を設け、通路壁の出入り口に支持アーチを設け、保持アーチ壁の下端部に回転防止部を形成した連結具用の第二連結穴を設けた傾斜通路橋、
前記連結具は、後部に前記第一連結穴又は前記第二連結穴の入口周面に当接する鍔を形成し、その顎に前記第一連結穴と前記第二連結穴の回転防止部に嵌入する被回転防止部を形成した嵌入連結部を形成し、前記第一連結穴又は前記第二連結穴から突出する部分に雄螺合部を形成したボルトと、前記第一連結穴又は当該第二連結穴の出口周面に緩み防止パッキンを介して当接する鍔を形成し前記ボルトの雄螺合部に螺合する雌螺合部を形成したナットとを設けてなることを特徴とする幼児用組立遊具。
【発明の効果】
【０００９】  本発明の幼児用組立遊具は、中継連結用のデザイン構成の複数の前記第一基台及び／又は第二基台に、よじ登り防止、落下防止、ひっかり防止、はみ出し・這い出し防止等の安全構造でありながら優れたデザイン構成の前記開放的な（１）〜（１３）のパーツを自由に任意に選択して簡易に組み立てることができる。
また当該基台に連結する全てのパーツはその渡り通路の少なくとも出入り口レベルをエンドプレートの平面部材（座面等）レベルに一致させて連結具により、迅速簡単且つ堅牢に連結するため、バリアーフリーで且つ遊び中の幼児の姿および、その子の機能などが十分に観察できる安全で夢のある楽しい立体感溢れるデザイン構成のアスレチック調の遊具に組み立てることが出来るのである。
尚、前記（１３）の傾斜通路橋の高い側を連結する場合は、当該基台の平面部材（座面等）高さを調節するか平面部材の傾斜通路橋側に傾斜部材か段差部材を載置固定すれば容易に安全連結可能である。
これらにより本発明の幼児用組立遊具は、幼児たちが見て遊びたい感情を誘引し、しかも遊具の内外から遊び中の仲間を見ることができ、また遊び中の幼児を観察し運動機能と安全を確認することができる。そして幼児は見るだけではなく、自由に触れて、乗ったり揺すったり歩いたり滑ったりすることができるため、多くの遊び心とチャレンジ性を通じて、経験学習及び応用学習をすることができる等の優れた作用効果がある。【００１０】  前記第一基台は、前後に前記（１）〜（１３）パーツを連結するタイプであり、一対のエンドプレートは、その各々の表裏面を平面にし、表裏面間の全端面を好ましくは曲面にした丸みを付けたプレートとすることにより堅牢でしかも抵抗なく安全に取り扱うことができる。
前記第二基台は前後に前記（１）〜（１３）パーツを連結すると共に他方のエンドプレートの上部に切欠き通路口側に前記（１）〜（１３）パーツを連結することを可能にしたタイプである。
また前記第一基台及び前記第二基台は、両エンドプレートの中央部端部に第一連結穴を穿設して前記連結具で連結対象パーツの第二連結穴に緊締して連結状態を強固に保形するので、使用中に外れることなく、緩まることもなく変形させることもなく安全性を確保するのである。更にシステム的に組み合わせて幼児の興味を抱かせチャレンジ精神と運動機能を活性化するなど、活用バリエーションを倍加するのである。【００１１】前記連結具は、基台と前記各種のパーツとその数を任意に選択し連結するものであり、幼児たちのあらゆる無茶な取り扱いに対して安全に緊締連結しその状態を保持するものである。また着脱は後述の簡単構造のスパナＳＰ等で簡単に可能である。【００１２】  おもな組み立て構造は次の各実施例があげられるが、これはほんの一例であり、色々なバリエーションが多く、幼児たちの創造に任せて色々組み立てて見せたり、実際に組み立てさせることができる等の教材的な役割を十分に果たすものである。
【図面の簡単な説明】
【００１３】
【図１−１】本発明の幼児用組立遊具の各組み立てパーツの第一基台１００−１例１を示す斜視説明図（１）であり、（２）はエンドプレートの側面図である。
【図１−２】本発明の幼児用組立遊具の各組み立てパーツの第一基台１００−２例２を示す斜視説明図（１）であり、（２）はエンドプレートの側面図である。
【図１−３】本発明の幼児用組立遊具の各組み立てパーツの第一基台１００−３例３を示す斜視説明図（１）であり、（２）はエンドプレートの側面図である。
【図１−４】本発明の幼児用組立遊具の各組み立てパーツの第一基台１００−４例４を示す斜視説明図である。
【図１−５】本発明の幼児用組立遊具の各組み立てパーツの第一基台１００−５例５を示す斜視説明図である。
【図１−６】本発明の幼児用組立遊具の各組み立てパーツで図１−１に示す第一基台の変形の第二基台１００−６例１を示す斜視説明図（１）である。
【図１−７】本発明の幼児用組立遊具の各組み立てパーツで図１−２に示す第一基台の変形の第二基台１００−７例２を示す斜視説明図（１）である。
【図１−８】本発明の幼児用組立遊具の各組み立てパーツで図１−３に示す第一基台の変形の第二基１００−８例３を示す斜視説明図（１）である。
【図１−９】本発明の幼児用組立遊具の各組み立てパーツで図１−４に示す第一基台例４の変形の第二基台１００−９例４を示す斜視説明図である。
【図１−１０】本発明の幼児用組立遊具の各組み立てパーツで図１−５に示す第一基台例５の変形の第二基台１００−１０例４を示す斜視説明図である。
【図２】本発明の幼児用組立遊具の各組み立てパーツの階段登り台例を示す斜視説明図（１）であり、（２）は階段登り台の側面図である。
【図３】本発明の幼児用組立遊具の各組み立てパーツの太鼓状登り台例を示す斜視説明図である。
【図４】本発明の幼児用組立遊具の各組み立てパーツの滑り台例を示す斜視説明図（１）であり、（２）は滑り台の側面図である。
【図５】本発明の幼児用組立遊具の各組み立てパーツのクネクネスロープ例を示す斜視説明図（１）であり、（２）はクネクネスロープの側面図である。
【図６】本発明の幼児用組立遊具の各組み立てパーツのクライムスロープ例を示す斜視説明図である。
【図７】本発明の幼児用組立遊具の各組み立てパーツのアーケード渡り橋（：ポリカトンネル）を示す斜視説明図（１）であり、（２）はポリカトンネルの側面図である。
【図８】本発明の幼児用組立遊具の各組み立てパーツのアーチ欄干ネット橋例を示す斜視説明図であり、（２）はアーチ欄干ネット橋例の側面図である。
【図９】本発明の幼児用組立遊具の各組み立てパーツで図２２に示す回廊橋を示す斜視説明図である。
【図１０】本発明の幼児用組立遊具の各組み立てパーツの太鼓橋例を示す側面図である。
【図１１】本発明の幼児用組立遊具の各組み立てパーツのウエーブ橋例を示す斜視説明図（１）であり、（２）はウエーブ橋の側面図である。
【図１２】本発明の幼児用組立遊具の各組み立てパーツのリングトンネル例を示す斜視説明図である。
【図１３】本発明の幼児用組立遊具の各組み立てパーツの段々スロープ例を示す斜視説明図（１）であり、（２）は段々スロープの側面図である。
【図１４】本発明の幼児用組立遊具の各組み立てパーツの傾斜通路例を示す斜視説明図である。
【図１５】本発明の組み立て用の連結具の例を示す説明図である。
【図１６】組み立て例１を示す斜視説明図である。
【図１７】組み立て例２を示す斜視説明図である。
【図１８】組み立て例３を示す斜視説明図である。
【図１９】組み立て例４を示す斜視説明図である。
【図２０】組み立て例５を示す斜視説明図である。
【図２１】組み立て例６を示す斜視説明図である。
【図２２】組み立て例７を示す斜視説明図である。
【図２３】組み立て例８を示す斜視説明図である。
【図２４】組み立て例９を示す斜視説明図である。
【図２５】組み立て例１０を示す斜視説明図である。
【発明を実施するための形態】
【００１４】本発明を実施するための形態の実施例を詳細に説明する。
【実施例】
【００１５】図１−１〜図１−１０及び図２〜図１４には、本発明の実施例の幼児用組立遊具の各組み立てパーツを紹介し、これらを図１５に示す連結具により適宜組み合わせた組立遊具の楽しい遊具例を図１６〜図２５にて紹介する。
本例の幼児用組立遊具のパーツの例は、図１−１〜図１−５に示す第一基台１００−１〜１００−５、図１−６〜図１−１０に示す第二基台１００−０６〜１００−１０と、図２に示す階段登り台２０、図３に太鼓状登り台３０、図４に示す滑り台４０、図５に示すクネクネスロープ５０、図６に示すクライミングスロープ１２０、図７に示すアーケード渡り橋６０、図８に示すアーチ欄干ネット橋７０、図１７、図１８に示す回廊橋８０、図９、図２２に示す回廊橋８００、図１０に示す太鼓橋９０と、図１１に示すウエーブ橋１３０と、図１２に示すリングトンネル１５０、図１３に示す段々スロープ１６０、図１４に示す傾斜通路１７０である。【００１６】  図１−１に示す第一基台１００−１は、縦型にして対面し対面間の上部に落下防止用で内外から遊び中の幼児が見える縦長丸の透かし窓１１０を形成し、中央部間を平面部材（座面等）部材１２で連結し、下部間を補強部材１３で連結した一対のエンドプレート１４０−１からなり、前記各エンドプレート１４０−１は、前後の各中央部に、回転防止部ＫＨＲを形成して貫通した複数の連結用の第一連結穴ＫＨ−１を穿設してなる堅牢構造であり組み立て構造強固に保持し、且つ抵抗なく安全に取り扱うことができる。【００１７】  しかもエンドプレート１４０−１は全端面に丸みを付け、幼児に優しい各種カラー素板を複数枚合わせ端面がカラー層状の軽量堅牢な木製合板、各種カラーの単木製やプラスチック製、軽金属製等を用いる。側面には動物絵、風景絵、幾何学的模様、漫画等々楽しい絵を描き幼児たちの色彩感覚や絵画感覚を醸成することができる。【００１８】  図１−２に示す第一基台１００−２は、上部両側に縦長丸の透かし窓１１１を形成したＨ型のエンドプレート１４０−２を採用したタイプである。その他の構成部材は図１−１に示す第一基台１００−１に構造又は機能が同じか類似するので、同一符号を付して説明を省略する。【００１９】  図１−３に示す第一基台１００−３は、上部にアーチ状の又は分割アーチ状の透かし窓１１２を形成したアーチ型のエンドプレート１４０−３を採用したタイプである。その他の構成部材は図１−１に示す第一基台１００−１に構造又は機能が同じか類似するので、同一符号を付して説明を省略する。【００２０】  図１−４に示す第一基台１００−４は、上部に森の木々の上部緑をイメージしたアーチ状の飾り縁１１１とその下方に透明板製の透かし窓１１０を形成したアーチ型のエンドプレート１４０−４を採用したタイプである。その他の構成部材は図１−１に示す第一基台１００−１に同じであり、同一符号を付して説明を省略する。【００２１】  図１−５に示す第一基台１００−５は、上部に森の木々の上部緑をイメージしたアーチ状の飾り縁１１１とその下方に複数の木々の幹をイメージした縦型の内外方から見れる透かし窓１１０を形成したアーチ型のエンドプレート１４０−５を採用したタイプである。その他の構成部材は図１−１に示す第一基台１００−１に同じであり、同一符号を付して説明を省略する。【００２２】  図１−６に示す第二基台１００−６は、図１−１に示す基台１００−１の変形例であり、一方のエンドプレート１４０−１の上部に透かし窓１１０を形成���、他方のエンドプレート０１４０の上半部に切欠き通路口ＰＳを形成すると共に側面両側部に連結用突起部０１４１を設けこの連結用突起部０１４１に回転防止部ＫＨＲを形成した連結用の第一連結穴ＫＨ−１を穿設して第二基台１０４の横方向に適宜なパーツを連結可能にしたものである。【００２３】  図１−７に示す第二基台１００−７は、図１−２に示す基台１００−２の変形例であり、一方のエンドプレート１４０−２の上部に透かし窓１１０を形成し、他方のエンドプレート０１４０の上半部に切欠き通路口ＰＳを形成すると共に側面両側部に連結用突起部０１４１を設けこの連結用突起部０１４１に回転防止部ＫＨＲを形成した連結用の第一連結穴ＫＨ−１を穿設して基台１０５の横方向に適宜なパーツを連結可能にしたものである。【００２４】  図１−８に示す基台１００−８は、図１−３に示す基台１００−３の変形例であり、一方のエンドプレート１４０−３の上部に透かし窓１１０を形成し、他方のエンドプレート０１４０の上半部に切欠き通路口ＰＳを形成すると共に側面両側部に連結用突起部０１４１を設けこの連結用突起部０１４１に回転防止部ＫＨＲを形成した連結用の第一連結穴ＫＨ−１を穿設して基台１０３の横方向に適宜なパーツを連結可能にしたものである。【００２５】  図１−９に示す第二基台１００−９は、図１−４に示す基台１００−４の変形例であり、エンドプレートの片方を前記エンドプレート１４０−４にし他方を上半部に切欠き通路口ＰＳを形成すると共に側面両側部に連結用突起部０１４１を設けたエンドプレート０１４０にし、この各連結用突起０１４１に回転防止部ＫＨＲを形成した連結用の前記第一連結穴ＫＨ−１を設けて、第二基台１００−９の横方向に適宜なパーツを連結可能にしたものである。【００２６】  図１−１０に示す第二基台１００−１０は、図１−５に示す第一基台１００−５の変形例であり、エンドプレートの片方を前記エンドプレート１４０−５にし他方を上半部に切欠き通路口ＰＳを形成すると共に側面両側部に連結用突起部０１４１を設けたエンドプレート０１４０にし、この各連結用突起０１４１に前記第一連結穴ＫＨ−１を設けて、第二基台１００−１０の横方向に適宜なパーツを連結可能にしたものである。【００２７】図２に示す階段登り台２０は、登り階段２１の両側に、長丸の透かし窓２２付きで落下防止用の手摺付保持枠２３を設け、手摺付保持枠２３の上部に前記連結具３００用で回転防止部ＫＨＲを形成した第二連結穴ＫＨ−２を設けてある。【００２８】図３に示す太鼓状登り台３０は、登り太鼓板３１の両側に、長丸の透かし窓３２付で落下防止用の手摺付保持枠３３を設け、登り太鼓板３１の中央上に登りロープ３４を連結して垂れ下げ、抑えロープ３４ｓで支持してある。手摺付保持枠３３の上端部に前記連結具３００用で回転防止部ＫＨＲを形成した第二連結穴ＫＨ−２を設けてある。登り太鼓板３１の上端は、連結対象の基台の平面部材（座面等）部材１２の平面部材（座面等）レベルに一致させてバリアフリーにしてある。【００２９】図４に示す滑り台４０は、滑りプレート４１の両側に、落下防止用の手摺付保持枠４２を設け、同手摺付保持枠の４２上端部に前記連結具３００用で回転防止部Ｋ��Ｒを形成した第二連結穴ＫＨ−２を設けてある。手摺付保持枠４２には透かし窓を形成してもよい。また滑りプレート４１の上端は、連結対象の基台の平面部材（座面等）部材１２の平面部材（座面等）レベルに一致させてバリアフリーにしてある【００３０】図５に示すクネクネスロープ５０は、滑りプレート５１の両側に長丸の透かし窓５２付きで落下防止用の手摺付保持枠５３を設け、同手摺付保持枠５３の上端部の両側下部に前記連結具３００用で回転防止部ＫＨＲを形成した第二連結穴ＫＨ−２を設け、前記滑りプレート５１はクネクネスロープ面部材５１０を配置してある。透かし窓５２は滑っている幼児が見えるようにすると共に、滑り方向に沿って長丸に形成して幼児の手などが引っ掛からないようにしてある。【００３１】前記滑りプレート５１の上端は、連結対象の基台の平面部材（座面等）部材１２の平面部材（座面等）レベルに一致させてバリアフリーにしてある。【００３２】  図６に示すクライムスロープ１２０は、登り用のスローププレート１２１にクライミング突起１２２を適宜に配置し、スローププレート１２１の上部両側に手摺付保持枠１２３を設け、手摺付保持枠１２３に透かし窓１２４を設けると共に回転防止部ＫＨＲを形成した第二連結穴ＫＨ−２を設けてある。【００３３】図７に示すアーケード渡り橋６０は、内外から遊び中の幼児が見える橋であり、渡り部材６１の両側に縦丸長の透かし窓６２を多数設けた手摺付保持枠６３を設け，同手摺付保持枠６３に渡る幼児の両側方と上方を囲う登り防止、飛び出し防止用の透明のアーケード６４を取り付け，アーケード６４の出入り口に支持アーチ６５を設け、支持アーチ６５の上部間を連結支持しアーケード６４を保持する支持梁杆６６を設け、手摺付保持枠６３の前後の両端部に前記連結具３００用で回転防止部ＫＨＲを形成した第二連結穴ＫＨ−２を設けてある。渡り部材６１の出入り口レベルは連結対象の基台の平面部材（座面等）部材の平面部材（座面等）レベルに一致させてバリアフリーにしてある。【００３４】図８に示すアーチ欄干ネット橋７０は、内外から遊び中の幼児が見える橋であり、ネット渡り部材７１の両側を支持して凸状に湾曲した保持横枠７２を設け、同保持横枠７２上にアーチ状に縦部材７３を等間隔で植設した欄干７４を取り付け、また保持横枠７２の前後の両端部に連結部材７５を設け、この連結部材７５に前記連結具３００用で回転防止部ＫＨＲを形成した第二連結穴ＫＨ−２を設けてある。ネット渡り部材７１の出入り口レベルは、連結対象の基台の平面部材（座面等）部材の平面部材（座面等）レベルに一致させてバリアフリーにしてある。【００３５】図９及び図２４に示す半円弧状の回廊橋８００は、湾曲渡り廊下パネル８１の両側に保持側壁８３を設け、湾曲渡り廊下パネル８１と保持側壁８３には、その両側の出入り口と中間部に補強アーチ部材８４を設け、区間内に適宜に支持柱８５、支持台８７などで支持してある。保持側壁８３はすかし窓８２を形成し、同保持側壁８３の前後の両端部に前記連結具用で回転防止部ＫＨＲを形成した第二連結穴ＫＨ−２を設けたものである。保持側壁８３の上下には補強枠８６を装着し、湾曲渡り廊下橋８１の出入り口レベルは、連結対象の基台の平面部材（座面等）の高さレベルに一致させてバリアフリーにしてある。
図１９に示す半円弧状の回廊橋８００及び図２０に示す四分の一円弧状の回廊橋８０は、上記の図９及び図２４に示す回廊橋８００に比べて、補強アーチ部材８４を省略した例であり、
同保持側壁８３の前後の両端部に図示していないが前記連結具用で回転防止部を形成した第二連結穴を設けたものである。【００３６】図１０に示す太鼓橋９０は、内外から遊び中の幼児が見える橋であり、太鼓状の渡りプレート９１の両側に素通しの透かし窓９２と透明板を張った透かし窓９３を形成した保持アーチ壁９４を設け、同保持アーチ壁９４の前後の出入り口にアーチ９５を設けると共に両端部下部に前記連結具３００用で回転防止部ＫＨＲを形成した第二連結穴ＫＨ−２を設けたものである。太鼓状の渡りプレート９１の出入り口レベルは連結対象の基台の平面部材（座面等）部材の平面部材（座面等）レベルに一致させてバリアフリーにしてある。【００３７】図１１に示すウエーブ橋１３０は、内外から遊び中の幼児が見える橋であり、ウエーブ渡り板１３１の両側に、長丸の透かし窓１３２と透明板を貼った透かし窓１３３付で落下防止用の保持アーチ壁１３４を設け、保持アーチ壁１３４の出入り口に支持アーチ１３５を設け、保持アーチ壁１３４の下端部に前記連結具３００用で回転防止部ＫＨＲを形成した第二連結穴ＫＨ−２を設けてある。ウエーブ渡り板１３１の出入り口レベルは連結対象の基台の平面部材（座面等）部材の平面部材（座面等）レベルに一致させてバリアフリーにしてある。【００３８】図１２に示すリングトンネル１５０は内外から遊び中の幼児が見える橋であり、湾曲渡り板１５１の下部、両側部、上方部の各周囲を囲う複数の楕円リング１５２とネット１５３、及びこれらを横梁棒１５４を介して支持し出入り口に配置した１５５と、アーチ部材１５５の下部に支持部材１５６を設け、支持部材１５６に前記連結具３００用で回転防止部ＫＨＲを形成した第二連結穴ＫＨ−２を設けてある。【００３９】図１３に示す段々スロープ１６０は、複数の滑りプレート１６１を棚田式に階段状に配置し、その配置両側に各滑りプレートの側部を支持するプレート支持枠１６２を設け、プレート支持枠１６２の上部の両側に手摺付保持枠１６３をプレート支持枠１６２と一体的に設け、手摺付保持枠１６３に透かし窓１６４を設けると共に前記連結具３００用で回転防止部ＫＨＲを形成した第二連結穴ＫＨ−２を設けてある。【００４０】図１４に示す傾斜通路橋１７０は、傾斜通路パネル１７１の両側に内外から共に見れて遊び心を醸し出す透明板からなり上端部縁と前後を補強材１７４、１７５で補強した通路壁１７２を固定連結し、通路壁１７２の出入り口に、通路壁１７２の出入り口部と傾斜通路パネル１７１両側部とを固定支持する支持アーチ１７３を設け、補強材１７５の下端部に前記連結具用で回転防止部ＫＨＲを形成した第二連結穴ＫＨ−２を設けてある。
前記傾斜通路パネル１７１の上面には幅方向に亘る断面円弧状で横木１７６を所定間隔で配置してある。横木１７６は傾斜通路パネル１７１を昇降の際に滑り止め用として設置しているが幼児の安全な障害物認識を情勢する役目がある。【００４１】図１５に示す連結具３００は、材質を軽量堅牢な木製、プラスチック製、軽金属製等から形成して、基台１０、１００に設けた任意の第一連結穴ＫＨ−１と、登り台２０、太鼓状登り台３０、滑り台４０、クネクネスロープ５０、アーケード渡り橋６０、アーチ欄干ネット橋７０、回廊橋８０、太鼓橋９０等に設けた第二連結穴ＫＨ−２とを歪みや緩み無く強固に連結したものである。【００４２】この連結具３００の構造は、後部に第一連結穴ＫＨ−１又は第二連結穴ＫＨ−２と当該第二連結穴ＫＨ−２の入口周面に当接する鍔３０１を形成し、その顎３０１に前記第一連結穴ＫＨ−１と第二連結穴ＫＨ−２の回転防止部ＫＨＲに嵌入する被回転防止部ＡＲＫを形成した嵌入連結部３０２を有し、この嵌入連結部３０２に続いて前記当該第二連結穴ＫＨ−２から突出する部分に雄螺合部３０４を形成したボルト３１０と、前記当該第二連結穴ＫＨ−２の出口周面に緩み防止パッキン３０５を介して当接する鍔３０６付きキャップ３０７を形成し前記ボルト３１０の雄螺合部３０４に螺合する雌螺合部３０８を形成したキャップ状のナット３２０を設けてなる。【００４３】前記ナット３２０の緩み防止パッキン３０５は鍔３０６との挟持の祭及び挟持後に外力が加わってもクッション効果により吸収してエンドプレート１３や連結用突起１５を圧潰することはない。このナット３２０には円形のスパナＳＰの突起ＳＰ−１を挿入する穴３２１が設けられ、スパナＳＰによる回転締めと緩めが可能になっている。【００４４】＜組み立て例１＞
図１６に示す組み立て例１は、第一基台１００−１と登り台２０と滑り台４０の組み立て例である。
図１６における例は、第一基台１００−１のエンドプレート１４０−１の前部中央部の第一連結穴ＫＨ−１に、手摺付保持枠４２を設けた滑り台４０の上部の第二連結穴ＫＨ−２を連結具３００で連結し、エンドプレート１４０−１の後部中央部の第一連結穴ＫＨ−１に登り台２０上部の第二連結穴ＫＨ−２を連結具３００で連結した組み立て例である。【００４５】＜組み立て例２＞
図１７に示す組み立て例２は、二基の第一基台１００−１に階段登り台２０と滑り台４０とアーケード渡り橋６０の組み立て例である。
図１７における例は、二基の第一基台１００−１を用意し、一基目の第一基台１００−１のエンドプレート１４０−１の前部中央部の第一連結穴ＫＨ−１に、階段登り台２０の手摺付保持枠４３の上部の第二連結穴ＫＨ−２を連結具３００で連結し、二基目の第一基台１００−１のエンドプレート１４０−１の後部中央部の第一連結穴ＫＨ−１に滑り台４０の手摺付保持枠２３の上部の第二連結穴ＫＨ−２を連結具３００で連結し、一基目の第一基台１００−１と二基目の第一基台１００−１との間に、アーケード渡り橋６０を組み立てた例である。
本例は、階段登り台２０から一基目の第一基台１００−１に移り次いでアーケード橋６０を渡り、次いで二基目の第一基台１００−１にたどり着きここから再びアーケード橋６０内で遊ぶか一基目の第一基台１００−１に戻るか或いは滑り台４０で一気に外に出るものである。勿論この逆コースも安全で楽しく遊べれる。【００４６】＜組み立て例３＞
図１８に示す組み立て例３は、第一基台１００−１、第二基台１００−６、１００−６の三基を用意し、一基目の第一基台１００−１のエンドプレート１４０−１の前部に、滑り台４０を連結し、二基目の第一基台１００−１と三基目の第二基台１００−６との間にアーケード渡り橋６０を連結し、三基目の第二基台１００−６と三基目の第二基台１００−６との間にアーケード渡り橋６０を連結し、二基目の第二基台１００−６の後部と三基目の第二基台１００−６の後部に各々階段登り台２０を連結し、三基目の第二基台１００−６の前部にクネクネスロープ５０を連結した例である。
この組み立て例は遊具内出入りパーツが組み立て内に存在して、多くの幼児が同一時間内で多様な楽しい遊びが可能である。【００４７】＜組み立て例４＞
図１９に示す組み立て例４は、三基の第一基台１００−２と滑り台４０と階段登り台２０と太鼓橋９０と半円弧状の回廊橋８００と太鼓状登り台３０を組み合わせた例である。即ち、滑り台４０、一基目の第一基台１００−２、太鼓橋９０、二基目の第一基台１００−２、階段登り台２０、回廊橋８０、三基目の第一基台１００−２、太鼓状登り台３０を順に連結した例である。
本例は主に太鼓状登り台３０と階段登り台２０から遊具内に出入り可能にし、滑り台４０から遊具外に出るタイプである。勿論この逆コースも安全で楽しく遊べれる。【００４８】＜組み立て例５＞
図２０に示す組み立て例５は、組み立て例４の変形例であり、組み立て例４に示す回廊橋８００を半分にした変形の回廊橋８０を組み合わせた例である。【００４９】＜組み立て例６＞
図２１に示す組み立て例６は、第一基台１０−３と階段登り台２０と滑り台４０の組み立て例である。第一基台１０−３は図１−３に示す例に比し、透かし窓１１２をアーチにしてある。【００５０】＜組み立て例７＞
図２２に示す組み立て例７は、滑り台４０と第一基台１００−３とウエーブ橋１３０と、第一基台１００−３と階段登り台２０とを順に組み立て例である。【００５１】＜組み立て例８＞
図２３に示す組み立て例８は、滑り台４０と第一基台１００−３とウエーブ橋１３０と、第二基台１００−８と階段登り台２０とリングトンネル１５０と第二基台１００−８とクライミングスロープ１２０を順に組み立て例である。【００５２】＜組み立て例９＞
図２４に示す組み立て例９は、図１９に示す例４の変形例であり、滑り台４０と第一基台１００−２と太鼓橋９０と、第二基台１００−７と階段登り台２０と半円弧状の回廊橋８００と第一基台１００−２太鼓状登り台３０とを順に組み立て例である。【００５３】＜組み立て例１０＞
図２５に示す組み立て例１０は、滑り台４０、第一基台１００−２、傾斜通路橋１７０、第二基台１００−１０、傾斜通路橋１７０、第二基台１００−５、四分の一円弧上の回廊橋８０、第二基台１００−７、四分の一円弧上の回廊橋８０、第二基台１００−２、第二基台１００−５、傾斜通路橋１７０、第二基台１００−９、傾斜通路橋１７０、第一基台１００−２、段々スロープ１６０の順に連結配列する。
前記第二基台１００−１０と第二基台１００−９との側部間には太鼓橋９０を連結し、二基の第二基台１００−５、の各側部には階段登り台２０を連結配置し、第二基台１００−９の側部には滑り台４０を連結配置したものである。
尚、傾斜通路橋１７０間の第二基台１００−１０及び第二基台１００−９は、傾斜通路橋１７０の傾斜通路パネル１７１の高い側を連結するため、当該基台の平面部材（座面等）高さを高くして傾斜通路パネル１７１の高い側のレベルに合わせるレベリングをしたものである。
また、太鼓橋９０を省略した際は、傾斜通路橋１７０間の第二基台１００−１０は、第一基台１００−８に、第二基台１００−９は第一基台１００−７または第二基台１００−１０にするなどその他適宜な組み合わせが可能である。【００５４】  これらの紹介例のように遊戯場のスペースに応じた各種の組み合わせにより多種多様の楽しく心躍る楽しさ一杯の遊戯施設が迅速簡単に構成することができるため、夢のある幼児たちの教養と醸成とチャレンジ性を醸し出す楽園を自由自在に創造し得る優れた作用効果を得ることができるものである。
【産業上の利用可能性】
【００５５】  本発明の幼児用の組立遊具は、前述の優れた作用効果を呈するため、一般家庭は勿論、幼稚園、保育園などの幼児教育施設等に広く活用され、教育産業界を始め家具産業界及び遊具産業界、遊具リース業会などに貢献すること多大なものがある。
【符号の説明】
【００５６】ＫＨ−１：第一連結穴
ＫＨ−２：第二連結穴
ＫＨＲ：回転防止部
ＡＲＫ：被回転防止部
１００−１，１００−２，１００−３，１００−４，１００−５：第一基台
１００−６，１００−７，１００−８，１００−９，１００−１０：第二基台
１４０−１，１４０−２，１４０−３，１４０−４，１４０−５，：エンドプレート
２０：階段登り台
３０：太鼓状登り台
４０：滑り台
５０：クネクネスロープ
６０：アーケード渡り橋
７０：アーチ欄干ネット橋
８０、８００：回廊橋
９０：太鼓橋
１２０：クライムスロープ
１３０：ウエーブ橋
１５０：リングトンネル
１６０：段々スロープ
１７０：傾斜通路橋
３００：連結具
【要約】      （修正有）【課題】安全を最優先して設計製作され、幼児の潜在能力を限りなく誘引し、興味と好奇心と思考力およびチャレンジ精神の醸成を、自然体で感じさせる幼児用組立遊具を提供する。【解決手段】幼児用組立遊具の基台１００−１は、縦型にして対面し対面間の上部に透かし窓１１０を形成し、中央部間を平面部材（座面等）部材１２で連結し、下部間を補強部材１３で連結し、回転防止部ＫＨＲを形成した複数の連結用の第一連結穴ＫＨ−１を中央部に設けた一対のエンドプレート１４０−１からなり、複数の前記基台とこれに連結する遊具として、階段登り台、滑り台、クネクネスロープ、クライムスロープ、アーケード渡り橋、アーチ欄干ネット橋、回廊橋、太鼓橋、ウエーブ橋、リングトンネル、段々スロープ、傾斜通路橋とを備え、これらの中から適宜選択して、その第二連結穴を基台の前記第一連結穴に連結具により連結して組み合わせることを可能にした。【選択図】図１−１【図１−１】
0006035475.tif 000002
【図１−２】
0006035475.tif 000003
【図１−３】
0006035475.tif 000004
【図１−４】
0006035475.tif 000005
【図１−５】
0006035475.tif 000006
【図１−６】
0006035475.tif 000007
【図１−７】
0006035475.tif 000008
【図１−８】
0006035475.tif 000009
【図１−９】
0006035475.tif 000010
【図１−１０】
0006035475.tif 000011
【図２】
0006035475.tif 000012
【図３】
0006035475.tif 000013
【図４】
0006035475.tif 000014
【図５】
0006035475.tif 000015
【図６】
0006035475.tif 000016
【図７】
0006035475.tif 000017
【図８】
0006035475.tif 000018
【図９】
0006035475.tif 000019
【図１０】
0006035475.tif 000020
【図１１】
0006035475.tif 000021
【図１２】
0006035475.tif 000022
【図１３】
0006035475.tif 000023
【図１４】
0006035475.tif 000024
【図１５】
0006035475.tif 000025
【図１６】
0006035475.tif 000026
【図１７】
0006035475.tif 000027
【図１８】
0006035475.tif 000028
【図１９】
0006035475.tif 000029
【図２０】
0006035475.tif 000030
【図２１】
0006035475.tif 000031
【図２２】
0006035475.tif 000032
【図２３】
0006035475.tif 000033
【図２４】
0006035475.tif 000034
【図２５】
0006035475.tif 000035